(57)【特許請求の範囲】
【請求項１】
原動機の冷却媒体を走行風と熱交換させて放熱させるラジエータと、
前記ラジエータのコアに走行風の下流側から近接して配設された電動ファンと、
前記電動ファンを走行風の下流側から覆うとともに、その上方から両側方にかけても覆う一方、下方には開口するように設けられたシュラウドとを備え、
前記ラジエータの前記コアの上部の左右両側には、走行風の通過する方向に見て前記シュラウドに覆われた領域の外側に走行風の通過する走行風通過領域が設定され、
前記シュラウドは、前記コアの下端まで前記コアを覆い、前記走行風通過領域は、走行風の通過する方向に見て前記シュラウドに覆われた領域の左右方向外側に設定されている、ことを特徴とする鞍乗型車両。
【請求項２】
前記電動ファンが前記シュラウドに取付けられて支持されている、請求項１に記載の鞍乗型車両。
【請求項３】
前記ラジエータは、走行風が鞍乗型車両の前後方向に通過するように原動機の前方に配設されており、該ラジエータのコアの走行風通過領域はその過半の領域が、走行風の通過する方向に見て前記原動機と重ならないように設定されている、請求項１または２のいずれかに記載の鞍乗型車両。
【請求項４】
前記ラジエータは、その上部が下部よりも鞍乗型車両の前方に位置するよう前傾して配設されている、請求項３に記載の鞍乗型車両。
【請求項５】
原動機の冷却媒体を走行風と熱交換させて放熱させるラジエータと、
前記ラジエータのコアに走行風の下流側から近接して配設された電動ファンと、
前記電動ファンを走行風の下流側から覆うとともに、その上方から両側方にかけても覆う一方、下方には開口するように設けられたシュラウドとを備え、
前記ラジエータのコアには、走行風の通過する方向に見て前記シュラウドに覆われた領域の外側に走行風の通過する走行風通過領域が設定され、
前記ラジエータは、走行風が鞍乗型車両の前後方向に通過するように原動機の前方に配設されており、該ラジエータのコアの走行風通過領域はその過半の領域が、走行風の通過する方向に見て前記原動機と重ならないように設定され、かつ、前記ラジエータが鞍乗型車両の左右方向に長い矩形状とされ、
前記シュラウドは、その上部において前記電動ファンの周囲を囲む円弧状の上壁部と、該上壁部の左右両端から下方に向かって左右に広がりながら延びる左右一対の側壁部と、前記電動ファンの後方を覆う後壁部と、を有する、鞍乗型車両。
【請求項６】
原動機の冷却媒体を走行風と熱交換させて放熱させるラジエータと、
前記ラジエータのコアに走行風の下流側から近接して配設された電動ファンと、
前記電動ファンを走行風の下流側から覆うとともに、その上方から両側方にかけても覆う一方、下方には開口するように設けられたシュラウドとを備え、
前記ラジエータのコアには、走行風の通過する方向に見て前記シュラウドに覆われた領域の外側に走行風の通過する走行風通過領域が設定され、
前記ラジエータは、走行風が鞍乗型車両の前後方向に通過するように原動機の前方に配設されており、該ラジエータのコアの走行風通過領域はその過半の領域が、走行風の通過する方向に見て前記原動機と重ならないように設定され、
前記シュラウドは、前記電動ファンの後方を覆う後壁部を有し、当該後壁部から前方に突出する突出部が、ラジエータのコアを走行風の通過する方向に見て、前記電動ファンの左右両端からそれぞれ左右に離間して上下に延びるように形成されている、鞍乗型車両。
【請求項７】
原動機の冷却媒体を走行風と熱交換させて放熱させるラジエータと、
前記ラジエータのコアに走行風の下流側から近接して配設された電動ファンと、
前記電動ファンを走行風の下流側から覆うとともに、その上方から両側方にかけても覆う一方、下方には開口するように設けられたシュラウドとを備え、
前記ラジエータのコアには、走行風の通過する方向に見て前記シュラウドに覆われた領域の外側に走行風の通過する走行風通過領域が設定され、
前記ラジエータは、走行風が鞍乗型車両の前後方向に通過するように原動機の前方に配設されており、該ラジエータのコアの走行風通過領域はその過半の領域が、走行風の通過する方向に見て前記原動機と重ならないように設定され、
前記シュラウドの前後方向の寸法が、上方から下方に向かって徐々に大きくなっている、鞍乗型車両。
【請求項８】
前記シュラウドの上部と前記ラジエータとの間にシール部材が配設されている、請求項１〜７のいずれか１つに記載の鞍乗型車両。
【発明の詳細な説明】
【技術分野】
【０００１】
本発明は、例えば自動二輪車のような鞍乗型の車両に搭載されるラジエータの導風構造に関する。
【背景技術】
【０００２】
従来より、自動二輪車のような鞍乗型の車両において水冷式のエンジンを搭載する場合には、冷却水の放熱を促すためのラジエータをエンジンの前方に配設するとともに、その後方に近接させて電動ファンを取付けて、低速時など走行風の弱いときには強制的にラジエータから空気を吸い出すようにしている。一例として特許文献１に記載の自動二輪車においては、冷却水温だけでなくエンジンの運転状態も考慮して制御することで、より適切に電動ファンを動作させることができる。
【先行技術文献】
【特許文献】
【０００３】
【特許文献１】特開２００１−９０５３６号公報
【発明の概要】
【発明が解決しようとする課題】
【０００４】
しかしながら前記の従来例では、自動二輪車のエンジンとラジエータとの間の狭いスペースに電動ファンを配設しているため、この電動ファンからの熱風が後方のエンジンに当たって上下左右に拡散することとなる。通常、電動ファンが動作するのは走行風の弱いときであり、例えば渋滞路で低速走行と一時停止とを繰り返すような状況なので、エンジンの周囲から上昇する熱気が乗員に不快感を与える虞がある。
【０００５】
また、前記従来例の自動二輪車は、車体前部からエンジンの周辺にかけてカウリングで覆われているため、前記のように電動ファンから吹き出して上下左右に拡散する熱風がカウリング内に籠もってしまい、車両装備品に悪い影響を与える心配もある。
【０００６】
かかる点に鑑みて本発明の目的は、電動ファンからの熱風が乗員に不快感を与えないように、また、カウル（カウリング）内に籠もり難くなるように導き出す導風構造を提供することにある。
【課題を解決するための手段】
【０００７】
前記の目的を達成すべく本発明は、鞍乗型車両に配設され、原動機の冷却媒体を走行風と熱交換させて放熱させるラジエータの導風構造が対象である。そして、前記ラジエータのコアに走行風の下流側から近接して配設された電動ファンと、この電動ファンを走行風の下流側から覆うとともに、その上方から両側方にかけても覆う一方、下方には開口するように設けられたシュラウドとを備えて、前記ラジエータのコアには、走行風の通過する方向に見て前記シュラウドに覆われた領域の外側に、走行風の通過する走行風通過領域を設定したものである。
【０００８】
前記の構成によると、ラジエータに取付けられた電動ファンが上方から両側方にかけてシュラウドに覆われて、下方に開口しているので、例えば渋滞など鞍乗型車両の走行速度が低いときに電動ファンが動作すると、これによりラジエータのコアから吸い出された熱風はシュラウドの開口から下方に吹き出すようになる。よって、乗員が熱風に曝されて不快に感じることは少なくなる。また、カウルを備えた鞍乗型車両であっても熱気がカウル内に籠もり難く、車両装備品に悪い影響を与える心配は少ない。
【０００９】
さらに、ラジエータのコアの全てがシュラウドに覆われているのではなく、コアを走行風の通過する方向に見てシュラウドの外側には走行風の通過しやすい走行風通過領域が設けられているので、中速ないし高速時に鞍乗型車両の受ける走行風が強くなったときでも、シュラウドによる通気抵抗の増大は抑制される。
【００１０】
前記電動ファンは、前記シュラウドに取付けて支持する構造としてもよい。こうすれば、別途、支持部材を設けるのに比べて部品点数が少なくなり、組付け工数の削減が図られる。
【００１１】
ところで、鞍乗型車両ではラジエータは、走行風が車両の前後方向に通過するようにして原動機の前方に配設されることがあるが、この場合には該ラジエータのコアの走行風通過領域を、その少なくとも半分（つまり過半）の領域が、走行風の通過する方向に見て前記原動機と重ならないように設定するのが好ましい。こうすれば、走行風通過領域を走行風が通過しやすい。
【００１２】
一例として前記ラジエータは、その上部が下部よりも鞍乗型車両の前方に位置するよう前傾させて配設してもよい。こうすれば、コアを走行風が後上がりに通過して原動機の上方に流れるように、走行風通過領域を設定することができる。また、シュラウドの開口から下方の斜め後方に向かって吹き出す熱風が、原動機の下方を後方に向かって流れてゆくようになり、乗員に不快感を与える心配はさらに少なくなる。
【００１３】
また、前記ラジエータが鞍乗型車両の左右方向に長い矩形状である場合に、前記シュラウドは、その上部において前記電動ファンの周囲を囲む円弧状の上壁部と、該上壁部の左右両端から下方に向かって左右に広がりながら延びる左右一対の側壁部と、を有するものとしてもよい。
【００１４】
この構成によると、シュラウドの左右一対の側壁部が下方に向かって左右に広がっているので、電動ファンからの熱風を下方に導く流路の断面積が徐々に左右に拡大することになり、風量の多いときでも熱風をスムーズに下方へ導くことができる。また、シュラウドの上部の左右方向の幅は狭くなるので、その左右両側においてそれぞれラジエータのコアに走行風通過領域を設定できる。これら左右の走行風通過領域をそれぞれ通過した走行風は、後方の原動機の上下および左右をスムーズに後方に流れるようになる。
【００１５】
さらに、前記シュラウドにおいて電動ファンの後方を覆う後壁部には、下方への熱風の流れを案内するように前方に突出する突出部を設けてもよい。すなわち、前記ラジエータのコアを走行風の通過する方向に見て、前記電動ファンの左右両端からそれぞれ左右に離間して上下に延びるように、前記の突出部を形成する。こうすれば、風量の少ないときに熱風は左右の突出部の間で下方に流れるようになる。
【００１６】
また、前記シュラウドの前後方向の寸法を上方から下方に向かって徐々に大きくすれば、電動ファンからの熱風を下方に導く流路の断面積が前後方向にも徐々に拡大するので、風量の多いとき、少ないときの両方で電動ファンからの熱風がスムーズに下方へ流れるようになる。
【００１７】
さらにまた、前記シュラウドの上部と前記ラジエータとの間にはシール部材を配設してもよく、こうすれば、鞍乗型車両が走行後に停車していて、電動ファンが動作していないときにも、シュラウド内の熱気が上方に漏れることがない。
【発明の効果】
【００１８】
以上、説明したように、本発明に係るラジエータの導風構造によると、鞍乗型の車両においてラジエータの電動ファンを覆うようにシュラウドを設けて、その下方に熱風を導くようにしたので、電動ファンからの熱風が乗員に不快感を与え難くなるとともに、カウルを備える場合でもその内部に熱気が籠もり難くなって、車両装備品に与える悪影響が軽減される。
【図面の簡単な説明】
【００１９】
【図１】本発明に係る鞍乗型車両の一実施形態である自動二輪車の左側面図である。
【図２】同自動二輪車のフロントカウル等を取り外し、エンジンおよびラジエータのレイアウトを示す拡大図である。
【図３】ラジエータ、電動ファンおよびシュラウドのアセンブリを前方から見た斜視図である。
【図４】同アセンブリを後方から見た斜視図である。
【図５】同アセンブリを下方から見た斜視図である。
【図６】ラジエータのコアを通風方向に見て、走行風通過領域と後方のエンジンとの重なり具合を模式的に示すイメージ図である。
【発明を実施するための形態】
【００２０】
以下、本発明の実施の形態に係るラジエータの導風構造について、図面を参照して説明する。本実施形態ではラジエータは鞍乗型車両の一形態である自動二輪車に搭載されており、以下の説明において左右方向については、その自動二輪車に騎乗するライダーの見る方向を基準とする。
【００２１】
図１は、本発明の実施の形態に係る自動二輪車１の左側面図である。図１に表れているように自動二輪車１は、従動輪である前輪２と、駆動輪である後輪３とを備えている。前輪２は、やや後傾しながら上下方向に延びるフロントフォーク４の下端部において回転自在に支持されており、フロントフォーク４の上部は上下一対のブラケット４ａを介して、ステアリングシャフト（図示せず）に支持されている。このステアリングシャフトは車体側のヘッドパイプ５（図２を参照）によって回転自在に支持されている。
【００２２】
そうしてフロントフォーク４の上部を車体側に連結するブラケット４ａやステアリングシャフト、ヘッドパイプ５等を前方から左右両側にかけて取り囲むように、本実施形態の自動二輪車１はフルカウル６を備えている。フルカウル６は樹脂製で、ウインドシールドやヘッドランプの取付けられるアッパカウル６ａと、その左右両側から斜め後方に垂下しエンジンＥの左右両側までを覆う左右のロワカウル６ｂとからなる。エンジンＥを冷却するための走行風は、主にアッパカウル６ａと前輪２との間からカウル内に流入し、ロワカウル６ｂの下部の開口や左右両側のスリット６ｃから流出する。
【００２３】
また、フロントフォーク４の上端に位置する上側のブラケット４ａには、左右へそれぞれ延びるようにセパレートタイプのハンドル７が取り付けられており、このハンドル７によって運転者は、フロントフォーク４および前輪２をヘッドパイプ５（ステアリングシャフト）の周りに操舵（ステア）することができる。さらに、フロントフォーク４の下端部には、前輪２と一体に回転するブレーキディスクを備えた前輪ブレーキ８が配設されている。
【００２４】
図示はしないが右側のハンドル７には、運転者の右手により把持されるスロットルグリップが設けられており、手首のひねりによってスロットルグリップを回転させることで、エンジンＥの出力を調整することができる。また、スロットルグリップの前方には前輪ブレーキ８を動作させるためのブレーキレバーが設けられている。一方、左側のハンドル７には、運転者の左手によって把持されるグリップの前方にクラッチレバー９が設けられている。
【００２５】
フルカウル６を取り外して図２に示すように、前記ヘッドパイプ５から後方へ向かってメインフレーム１０が延びている。本実施形態ではメインフレーム１０の前部は、ヘッドパイプ５の上部から若干下方に傾斜しながら後方に延びる丸パイプからなるセンターフレーム部材１０ａと、ヘッドパイプ５の下部から二股状に左右に分かれて後方に延びる、丸パイプからなる左右一対のサイドフレーム部材１０ｂとからなる。
【００２６】
左右一対のサイドフレーム部材１０ｂは、後方に延びる途中で若干、上方に傾斜するように緩やかに湾曲した後に、今度は下方に傾斜するように折れ曲がっており、その折れ曲がり部分において丸パイプからなるクロスメンバ１０ｃにより互いに連結されている。このクロスメンバ１０ｃには前記センターフレーム部材１０ａの後端も連結されており、前記のヘッドパイプ５、センターフレーム部材１０ａ、サイドフレーム部材１０ｂおよびクロスメンバ１０ｃによって、メインフレーム１０の前部の剛性を確保している。
【００２７】
また、前記左右一対のサイドフレーム部材１０ｂはそれぞれ、前記のようにクロスメンバ１０ｃによって連結されている部分で下方に折れ曲がった後は、直線状に後方の斜め下方へ延びていて、その後端には下方に延びるようにピボットフレーム１１が連設されている。一方、左右のサイドフレーム部材１０ｂの折れ曲がり部分の近傍から後方に向かって略水平に延びるように、左右一対のリヤサイドフレーム１２が連設されている。各リヤサイドフレーム１２は、ピボットフレーム１１の上端から後方の斜め上方へ延びるリヤステー１３とともに、自動二輪車１の車体後部の骨格を構成する。
【００２８】
図１にのみ示すがピボットフレーム１１には、略前後方向に延びるスイングアーム１４の前端部が揺動可能に支持されており、このスイングアーム１４の後端部には後輪３が回転自在に支持されている。後輪３のスプロケット１５には仮想線で示すチェーン２５が巻き掛けられ、後述するようにトランスミッションから回転出力が伝達される。また、メインフレーム１０の上部には燃料タンク１６が配設され、その後方には運転者（ライダー）の騎乗用のシート１７が配設され、さらにその後方には同乗者（タンデムライダー）の騎乗用のリヤシート１８が設けられている。
【００２９】
図２に示すようにメインフレーム１０の下部には、このメインフレーム１０およびピボットフレーム１１に支持された状態でエンジンＥが搭載されている。図２では吸気系、排気系等は取り外し、主にエンジン本体を示している。一例としてエンジンＥは、２つのシリンダＣが左右方向に並んだ並列２気筒のガソリンエンジンであり、それらのシリンダＣが形成されたシリンダブロックｅ１の上部にシリンダヘッドｅ２が組み付けられて、シリンダＣの上端を閉ざしている。このシリンダＣの内部にはピストン（図示せず）が往復動可能に嵌挿されていて、その上方に燃焼室が形成されている。
【００３０】
図１に破線で示すように、前記シリンダヘッドｅ２には、各シリンダＣ毎に吸気ポート２０および排気ポート２１が形成されてそれぞれ燃焼室の天井部に開口している。こうしてシリンダＣ内に臨む吸排気ポート２０，２１の各開口部は、図示しないがカムシャフトによって駆動される吸気および排気バルブによって開閉される。一例として、本実施形態では吸気側および排気側の２本のカムシャフトを備えたＤＯＨＣタイプのバルブ駆動機構を備え、これを覆うようにシリンダヘッドｅ２の上部にはヘッドカバーｅ４が配設されている。
【００３１】
前記の吸気ポート２０は、各シリンダＣ内の燃焼室の天井部から斜め上方に延びてシリンダヘッドｅ２の後面に開口している。車載状態ではエンジンＥのシリンダブロックｅ１およびシリンダヘッドｅ２はやや前傾しており、シリンダヘッドｅ２の後面には、左右に並んで開口する吸気ポート２０にそれぞれ接続されるように、２連のスロットルボディ（図示せず）が配設される。一方、各シリンダＣの燃焼室から既燃ガスを排出する排気ポート２１は、シリンダヘッドｅ２の前面において左右に並んで開口し、図示しない排気マニホルドに接続されている。
【００３２】
また、各シリンダＣ毎にシリンダヘッドｅ２には点火プラグ２２が配設されて、燃焼室にその天井部の略中央から臨んでいる。点火プラグ２２の上部には点火回路２３が接続され、その上部はヘッドカバーｅ４を貫通している。点火回路２３は各シリンダＣ毎に所定の点火タイミングで点火プラグ２２に通電し、混合気に点火して燃焼させる。この燃焼によりピストンが押し下げられ、図示しないコンロッドを介してクランクシャフトを回転させる。
【００３３】
そのクランクシャフト等が収容されているクランクケースｅ５の後部にはミッションケースが一体化され、その内部には、一例として常時噛み合いの歯車式トランスミッション（図示せず）が収容されている。トランスミッションの出力シャフト２４はクランクケースｅ５の左側に突出しており、その回転出力は、仮想線で示すチェーン２５を介して後輪３に伝達される。また、クランクケースｅ５の下部には潤滑用のオイルを溜めるオイルパンｅ６が取付けられ、クランクケースｅ５の前部にはオイルを浄化するためのオイルフィルタ２６が配設されている。
【００３４】
本実施形態のエンジンＥは水冷式であり、シリンダブロックｅ１やシリンダヘッドｅ２を冷却水（冷却媒体）によって冷却する。冷却水を循環させるためのウォータポンプ２７はクランクケースｅ５の左側に配設されており、エンジンＥからトランスミッションへの動力伝達経路から駆動力を取り出して駆動するようになっている。ウォータポンプ２７は、ロワホース２８によってラジエータ３０から導入される冷却水をミドルホース２９によってシリンダブロックｅ１へと圧送する。
【００３５】
図３〜５を参照して以下に詳述するが、ラジエータ３０は、走行風が前後方向に通過するように前面を前方に向けて配置され、メインフレーム１０の左右のサイドフレーム部材１０ｂの前部から垂下するハンガーブラケット１０ｄに取付けられている。ハンガーブラケット１０ｄは、エンジンＥのシリンダヘッドｅ２をメインフレーム１０に連結するもので、そのシリンダヘッドｅ２とラジエータ３０との間に所定の間隔が空けられて、ここに電動ファン３７（図３等を参照）やシュラウド４０が配設されている。
【００３６】
また、ラジエータ３０は、その上部が下部よりも前方に位置するよう所定の傾斜角度（例えば１０°くらい）だけ前傾しているので、コア３１（図３〜５を参照）の上部を走行風が後上がりに通過して、エンジンＥのヘッドカバーｅ４の上方へ抜けるようになる。こうしてコア３１を通過する風との熱交換によって冷却水の放熱が促され、温度の低下した冷却水は前記のようにロワホース２８を流通して、ウォータポンプ２７に吸入される。
【００３７】
−ラジエータアセンブリの構造−
図３〜５には、ラジエータ３０に電動ファン３７およびシュラウド４０をアセンブリした状態で示す。図３および図４は、それぞれ前方および後方から見た斜視図であり、図５は下方から見た斜視図である。
【００３８】
図示のようにラジエータ３０は全体として横長の矩形状とされ、その右端に冷却水の導入タンク３２が、また、左端には冷却水の導出タンク３３がそれぞれ設けられたクロスフロータイプのものである。導入タンク３２は、エンジンＥのシリンダヘッドｅ２から排出された比較的高温の冷却液を導入して、コア３１に導くものであり、その後面の上部には円筒状の冷却水入口３２ａが突設され、シリンダヘッドｅ２から高温の冷却水を導入するアッパホース（図示せず）が接続される。
【００３９】
一方、ラジエータ３０の導出タンク３３は、コア３１を通過して低温になった冷却液を集めてエンジンＥ側に送り出すためのもので、その後面の下部には円筒状の冷却水出口３３ａが突設されて、前記のロワホース２８が接続される。それら両タンク３２，３３の間のコア３１は、詳細は図示しないが、それぞれ左右に延びる複数のチューブが上下に並んで設けられ、隣り合うチューブの間には繰り返し折り返されるようにフィンが設けられて、チューブ内を右側から左側に流れる冷却水がコア３１を前後に通過する走行風と熱交換する構成である。
【００４０】
また、ラジエータ３０のコア３１の上下両端には長尺の板状の上壁３１ａおよび下壁３１ｂが配設され、それぞれの左右両端寄りの部位から上方および下方に突出するように、ハンガーブラケット１０ｄへの取付けフランジ３４が設けられている。都合４個の取付けフランジ３４はいずれも前後に扁平な板状で、図示しないボルトの挿通される丸穴が開口している。さらに、上壁３１ａおよび下壁３１ｂにはそれぞれ、前記各取付けフランジ３４よりも中央寄りに、後述するシュラウド４０の取付座３５が配設されている。
【００４１】
本実施形態の自動二輪車１においては、前記のようにエンジンＥの前方に配設されたラジエータ３０の後方に近接させて電動ファン３７を取付け、低速時など走行風の弱いときには電動ファン３７により強制的にラジエータ３０から熱風を吸い出すようにしている。一例として電動ファン３７は、羽根車３７ａを薄型の電気モータ３７ｂによって回転させ、その羽根車３７ａの軸方向に風を吸い出すようにした軸流式のものである。なお、電動ファン３７の羽根車３７ａは軸流式に限らず、例えば遠心式であってもよい。
【００４２】
そして、その電動ファン３７を後方、即ちコア３１を通過する風の下流側から覆うとともに、電動ファン３７の上方から左右両側方にかけても覆い、下方にのみ開口するようにシュラウド４０を設けている。すなわち、図３、４に明らかなようにシュラウド４０は、電動ファンの後方を覆う全体として三角形状の後壁部４１と、その上縁から前方に延びて電動ファン３７の上部外周を囲むように円弧状に湾曲した上壁部４２と、この上壁部４２の左右両端からそれぞれ左右に広がりながら下方に向かって延びる左右一対の側壁部４３と、を有している。
【００４３】
つまり、シュラウド４０は全体としても三角形状を有し、左右一対の側壁部４３が下方に向かって左右に広がっているので、電動ファン３７からの熱風を下方に導く流路の断面積が徐々に左右に拡大することになる。しかも、本実施形態ではシュラウド４０の前後方向の寸法も上方から下方に向かって徐々に大きくなっており、熱風の流路の断面積は前後方向にも徐々に拡大している。なお、左右の側壁部４３の下部は緩やかに内方に向かって湾曲した後に略上下方向に延びていて、熱風の吹き出し方向を下方へ向けている。
【００４４】
より詳しくは、シュラウド４０は樹脂製であり、後壁部４１と上壁部４２および左右の側壁部４３とが一体成形されている。図４、５に示すように後壁部４１の略中央には、電動ファン３７の電気モータ３７ｂの後面が接合される円形の座面４１ａが前方に一段、突出するように形成されている。この座面４１ａの中央には、電気モータ３７ｂの後部の突起が収容される異形の開口４１ｂが形成されるとともに、電気モータ３７ｂを締結する３つのビス３８の貫通穴（図示せず）も形成されている。つまり、本実施形態では電動ファン３７は、電気モータ３７ｂがシュラウド４０の後壁部４１に締結されて、該シュラウド４０に支持されている。
【００４５】
また、シュラウド４０の後壁部４１には、前記中央の座面４１ａから左右にそれぞれ離間して、上下に延びる帯状の段部４１ｃ（突出部）が形成されている。これらの各段部４１ｃは、図４のように後方から見ると上下に長い帯状の溝であるが、図５のように下方から見ると明らかなように、各段部４１ｃはそれぞれ後壁部４１の前面から前方に向かって一段、突出している。これら左右の段部４１ｃ同士の左右方向の間隔は、電動ファン３７の羽根車３７ａの直径よりも少しだけ大きく設定されており、左右の段部４１ｃはそれぞれ、羽根車３７ａの左右両端から左右に離間している。
【００４６】
各段部４１ｃの下端部にはそれぞれ、より大きく前方へ突出して取付脚部４１ｄが形成されている。この各取付脚部４１ｄの断面は下向きに開口するコ字状であり、各取付脚部４１ｄの前端面は、ラジエータ３０のコア３１の下壁３１ｂに設けられた取付座３５に重ね合わされて、ボルト３９により締結されている。この結果、シュラウド４０の下方の開口は、左右の取付脚部４１ｄの間の主開口部と、各取付脚部４１ｄとシュラウド４０の側壁部４３との間の副開口部とに分割されている。
【００４７】
一方、シュラウド４０の上部において上壁部４２の左右両端と左右の両側壁部４３とが繋がる部位には、上方に向かって左右一対の取付腕部４４が延びている。各取付腕部４４は、ラジエータ３０のコア３１の上壁３１ａに設けられた取付座３５に重ね合わされて、ボルト３９により締結されている。また、左右の取付腕部４４同士を繋ぐように上壁部４２の上面には上方に延びる延出部４２ａが設けられており、この延出部４２ａの上縁には前方に折れ曲がる折曲片４２ｂも設けられている。
【００４８】
図４に示すように延出部４２ａの後面にはリブが設けられている一方、図３に示すように延出部４２ａの前面には、スポンジ等を横長の四角柱状に成形してなるシール部材４５が配設されて、折曲片４２ｂとラジエータ３０のコア３１の上壁３１ａとの間を閉ざしている。つまり、左右の取付腕部４４の間に挟まれたシュラウド４０の上壁部４２とラジエータ３０のコア３１との間は、シュラウド４０内の熱風が上方に漏れないようにシールされている。
【００４９】
前記のように全体として三角形状のシュラウド４０が横長のラジエータ３０の後面に取付けられると、そのコア３１のうち、左右方向の中央に位置する概ね１／３の領域がシュラウド４０に覆われるとともに、その左右両側のそれぞれ１／３くらいの領域においてもそれぞれ中央且つ下寄りの三角形状の領域がシュラウド４０に覆われることになる。この結果、図６に模式的に示すようにコア３１を走行風の通過する方向（便宜的にコア３１の前面に直交する方向）に見ると、シュラウド４０の左右にはそれぞれ左上寄りおよび右上寄りに、走行風の通過しやすい三角形状の領域３１ｃ（走行風通過領域）が形成される。
【００５０】
ここで、図１に表われているようにラジエータ３０の前方において左右方向の中央には前輪２が位置し、走行風は前輪２の上部および左右両側を通過してラジエータ３０のコア３１に進入する。よって、前記のようにラジエータ３０のコア３１の上部の左右両側に走行風通過領域３１ｃを形成すれば、これらの走行風通過領域３１ｃを走行風が効率よく通過するようになる。
【００５１】
しかも、走行風は、前傾しているラジエータ３０のコア３１を後上がりに通過するので、図６のようにコア３１をその通風方向に見ると、走行風通過領域３１ｃの殆どは後方のエンジンＥのヘッドカバーｅ４とは重なっておらず、コア３１を通過した走行風はエンジンＥの上方および左右両側をスムーズに流れてゆく。なお、走行風通過領域３１ｃは、その少なくとも半分（つまり過半）の領域がエンジンＥと重ならないように設定すればよい。
【００５２】
−作用効果−
以上の構成により、本実施形態の自動二輪車１が例えば渋滞路などで低速走行を強いられているとき、エンジンＥの冷却水温度が高くなって電動ファン３７が動作を開始すると、その羽根車３７ａの回転によってラジエータ３０のコア３１から熱風が吸い出される。こうして吸い出された熱風は羽根車３７ａの後方に送り出されて、シュラウド４０の後壁部４１との間を下方に向かって流れ、図２に白矢印で模式的に示すようにシュラウド４０の下方に吹き出すようになる。
【００５３】
ここで、冷却水温度があまり高くないうちは羽根車３７ａの回転数が低く、ここから送り出される熱風の風量があまり多くはないので、この熱風はシュラウド４０の後壁部４１の左右の段部４１ｃに案内され、それらの間を概ね真っ直ぐに下方に流れてシュラウド４０の主開口部から下方に吹き出す。このため、風量が少なくても熱風の下方への吹き出し速度を確保することができ、図２に白矢印で模式的に示すように熱風は、エンジンＥの前方からその下方に回り込んで、後方に向かって流れるようになる。
【００５４】
一方、冷却水温度が高くなって羽根車３７ａの回転数も高くなり、ここから送り出される熱風の風量が多くなると、この熱風の一部が段部４１ｃを乗り越えて左右に広がり、シュラウド４０の左右の側壁部４３に沿って下方に流れて、シュラウド４０の副開口部からも吹き出すようになる。つまり、熱風を下方に導く流路の断面積を確保でき、電動ファン３７の動作に対する抵抗はあまり大きくならない。しかも、熱風の流量が多ければ、その流れが左右に広がってもシュラウド４０の下方への吹き出し速度は高くなり、前記と同様に熱風はエンジンＥの下方を後方に流れるようになる。
【００５５】
つまり、走行風の弱い自動二輪車１の低速時に、電動ファン３７の動作によってラジエータ３０から吸い出した熱風を、シュラウド４０の下方に吹き出させてエンジンＥの下方からその後方に流すことで、運転者や同乗者が熱気に曝されて不快に感じることを防止できる。本実施形態のように自動二輪車１にフルカウル６が備わっていても、その内部には熱気が籠もり難く、車両装備品に悪い影響を与える心配も少ない。
【００５６】
また、自動二輪車１の走行速度が高いときにはラジエータ３０の受ける走行風が強くなるが、走行風は前輪２の上部および左右両側から、ラジエータ３０のコア３１の上部左右の走行風通過領域３１ｃ通過して、エンジンＥの上方および左右両側をスムーズに流れてゆく。よって、走行風が強くなっても、シュラウド４０による通気抵抗があまり大きくなることはない。
【００５７】
−他の実施形態−
以上、本発明の実施の形態について種々、説明したが、本発明に係るラジエータの導風構造は前記の実施形態に限定されず、本発明の趣旨を逸脱しない範囲でその構成を変更、追加、または削除することができる。例えば、前記の実施形態ではラジエータ３０をエンジンＥの前方に配置して、走行風が前後方向に通過するようにしているが、これに限らず、ラジエータ３０はエンジンＥの側方や後方に配置してもよいし、走行風が左右方向に通過するようにしてもよい。
【００５８】
また、ラジエータコア３１の走行風通過領域３１ｃは、前記のようにコア３１の上部において左右に分けて設ける必要もなく、一例として電動ファンやシュラウドをコアの左右いずれか一側に寄せて配置し、反対側に走行風通過領域を設定してもよい。コア自体も横長でなくてもよいので、一例として縦長のコアの中央に電動ファンやシュラウドを設け、その上下に分けて走行風通過領域を設定してもよいし、電動ファンやシュラウドを縦長のコアの上下いずれか一側に寄せて配置し、反対側に走行風通過領域を設定してもよい。
【００５９】
また、前記の実施形態では電動ファン３７をシュラウド４０に取付けて、ラジエータ３０に支持するようにしているが、これに限らず、電動ファン３７をラジエータ３０に支持する専用の支持部材を設けてもよい。
【００６０】
さらに、シュラウドの具体的な構造も前記の実施形態に限定されない。一例として前記の実施形態ではシュラウド４０の左右の側壁部４３を、下方に向かって左右に広がりながら延びるように構成しているが、これに限らずシュラウドの左右の側壁部は概ね真っ直ぐに下方に延びる構成としてもよいし、互いに近づきながら下方に延びる構成としてもよい。同様にシュラウドの前後方向の寸法も上方から下方に向かって徐々に大きくする必要はなく、徐々に小さくなっていてもよい。
【００６１】
また、前記実施形態のようにラジエータ３０を前傾させて設ける必要もなく、一例としてラジエータは上下方向には概ね真っ直ぐに延びるように設けてもよいし、後傾させて設けてもよい。また、ラジエータ３０を左右いずれかに傾けて配設してもよい。
【００６２】
さらにまた、前記実施形態の自動二輪車１は一例として並列２気筒のエンジンＥを搭載しているが、これは単気筒や３〜６気筒のエンジンであってもよく、水平対向式やＶ型のエンジンであってもよい。また、原動機としてエンジンの他に電気モータを搭載していてもよいし、電気モータのみを搭載した電動二輪車であってもよいし、自動二輪車にも限定されず、例えば不整地走行車両にも本発明を適用することができる。
【産業上の利用可能性】
【００６３】
以上のように本発明は、ラジエータの熱風が乗員に不快感を与えたり、カウル内に籠もったりすることを効果的に抑制できるので、特に自動二輪車に適用して高い効果を奏し、産業上の利用可能性は高い。
【符号の説明】
【００６４】
１          自動二輪車（鞍乗型車両）
３０      ラジエータ
３１      コア
３１ｃ    走行風通過領域
３７      電動ファン
４０      シュラウド
４１      後壁部
４１ｃ    段部（突出部）
４２      上壁部
４３      側壁部
４５      シール部材
Ｅ        エンジン
【図１】
0005829907.tif 000002
【図２】
0005829907.tif 000003
【図３】
0005829907.tif 000004
【図４】
0005829907.tif 000005
【図５】
0005829907.tif 000006
【図６】
0005829907.tif 000007